(57)【特許請求の範囲】
【請求項１】
前面が開放されたベースに、後面が開放され吸込グリルを備えた前面パネルを装着して本体を構成し、同本体の前面及び上面に吸込口を、前面下部に吹出口を夫々設け、前記吸込口と前記吹出口とを結ぶ空気通路に、熱交換器と送風ファンとを設けるとともに、前記ベースの一側に前記送風ファンを駆動するファンモータの固定装置を設けてなる空気調和機において、
前記ファンモータの固定装置が、前記ベース上に立設され、前記ファンモータの駆動軸側の外周を支持するとともに、駆動軸が挿通する挿通孔を穿設したキャップ部と、前記ファンモータの反駆動軸側となるベース上に立設され、上端面が内方に窪む円弧状に形成されるとともに、同円弧状の上端面に摺動溝を形成した基台と、外周に前記摺動溝に対応した外方に膨らむ円弧部を形成するとともに、内周に前記ファンモータの軸受に装着された防振部材に干渉しないよう円弧状の切欠きを設けた摺動部材と、前記防振部材が挿通するとともに、これに被着する円筒状の被着部と、同被着部の上下端から延出され前記摺動部材の前記切欠き側に接合する接合部と、同接合部と前記被着部との間に架設されたリブに前記ファンモータの他側に穿設されたネジ孔に対応するネジ挿通孔とを備えた固定板とで構成されてなり、
前記ファンモータを抜脱する際、同ファンモータに螺着された前記固定板を外し、前記摺動部材を、前記基台の摺動溝内を摺動させて取り外すことにより、前記ファンモータを水平に移動させて抜脱できるようにしたことを特徴とする空気調和機。
【請求項２】
前記基台及び前記基部とが、前記ベースに一体に形成されてなることを特徴とする請求項１に記載の空気調和機。
【発明の詳細な説明】
【０００１】
【発明の属する技術分野】
本発明は、空気調和機に係わり、より詳細には送風ファンを駆動するファンモータの固定構造に関する。
【０００２】
【従来の技術】
従来の空気調和機におけるファンモータは、例えば図４で示すような固定構造により本体内に固定されていた。同図に示すように、空気調和機の本体を構成するベース１の一側にはファンモータ７を載置する載置部が形成され、同載置部の前面には前記ファンモータ７の前面ボスを抱持するように固定する前面固定具２１が、後面には前記ファンモータ７の後面ボスを固定する固定部材２２がネジ止めにより前記ベース１に着脱自在に設けられている。
【０００３】
修理等により前記ファンモータ７を前記ベース１から取り外す際は、まずネジを抜脱して前記固定具材２２を前記ベース１から抜脱し、続いて前記ファンモータ７を本体から抜脱するようになっている。
【０００４】
しかしながら、近年ファンモータの能力増強に伴い、ファンモータの振動を極力抑制し騒音の発生を防止することが求められており、上記したファンモータの固定構造では騒音の発生を充分に抑制することができなかった。また、空気調和機本体の小型化に伴い、前記ファンモータ７を取り外す際、これを覆うように設けられている熱交換器を外さないと前記ファンモータ７を本体から外すことができないというような不具合が発生し、これらへの対応が求められていた。
【０００５】
【発明が解決しようとする課題】
本発明は上記問題点に鑑み、ファンモータの振動を充分に抑制して本体外への騒音の発生を極力低減できるとともに、修理時に、ファンモータを本体から容易に抜脱することのできるファンモータの固定構造を備えた空気調和機を提供することを目的とする。
【０００６】
【課題を解決するための手段】
本発明は上記課題を解決するため、前面が開放されたベースに、後面が開放され吸込グリルを備えた前面パネルを装着して本体を構成し、同本体の前面及び上面に吸込口を、前面下部に吹出口を夫々設け、前記吸込口と前記吹出口とを結ぶ空気通路に、熱交換器と送風ファンとを設けるとともに、前記ベースの一側に前記送風ファンを駆動するファンモータの固定装置を設けてなる空気調和機において、
前記ファンモータの固定装置が、前記ベース上に立設され、前記ファンモータの駆動軸側の外周を支持するとともに、駆動軸が挿通する挿通孔を穿設したキャップ部と、前記ファンモータの反駆動軸側となるベース上に立設され、上端面が内方に窪む円弧状に形成されるとともに、同円弧状の上端面に摺動溝を形成した基台と、外周に前記摺動溝に対応した外方に膨らむ円弧部を形成するとともに、内周に前記ファンモータの軸受に装着された防振部材に干渉しないよう円弧状の切欠きを設けた摺動部材と、前記防振部材が挿通するとともに、これに被着する円筒状の被着部と、同被着部の上下端から延出され前記摺動部材の前記切欠き側に接合する接合部と、同接合部と前記被着部との間に架設されたリブに前記ファンモータの他側に穿設されたネジ孔に対応するネジ挿通孔とを備えた固定板とで構成されてなり、
前記ファンモータを抜脱する際、同ファンモータに螺着された前記固定板を外し、前記摺動部材を、前記基台の摺動溝内を摺動させて取り外すことにより、前記ファンモータを水平に移動させて抜脱できるようにし構成となっている。
【０００７】
更に、前記基台及び前記基部とが、前記ベースに一体に形成された構成となっている。
【０００８】
【発明の実施の形態】
以下、本発明の実施の形態を、添付図面に基づいた実施例として詳細に説明する。
図１は本発明による空気調和機を示す断面図であり、図２はファンモータの固定具を示す分解斜視図である。また図３はファンモータを抜脱する際の手順を示す断面図である。
本発明による空気調和機は、図１で示すように、前面を開放したベース１と、同ベース１の前面に装着される、後面が開放された前面パネルと、吸込口を形成し前記前面パネルに着脱自在に設けられた吸込グリルとで本体を構成している。同本体の前面には複数の横桟から形成される前面吸込口２が、上面には同様に複数の横桟から形成される上面吸込口３が夫々設けられ、前面下部には吹出口４が設けられている。前記前面吸込口２及び前記上面吸込口３と前記吹出口４とを結ぶ空気通路には、垂直部５ａと、同垂直部５ａの上端を折曲して後方に傾斜させた後方傾斜部５ｂと、同後方傾斜部５ｂの上端を折曲して前方に傾斜させた前方傾斜部５ｃとからなる熱交換器５が設けられ、同熱交換器５の下流側には同交換器５で熱交換された空気を前記吹出口４から室内に送出するクロスフローファンからなる送風ファン６と、同送風ファン６と連結されこれを駆動するファンモータ７が本体の一側に設けられており、同ファンモータ７の反駆動軸側は、基台９と、同基台９に摺動自在に支持される摺動部材１０と、同摺動部材１０と接合され前記ファンモータ７の後面に装着された防振部材を抱持するように固定する固定具１１とで前記ベース１に装着されるようになっている。
【０００９】
前記ファンモータ７の固定装置は図２で示すように構成されている。同ファンモータ７の駆動軸側は、前記ベース１上に立設された基部１２ａと、同基部１２ａ上に形成され前記ファンモータ７の外周部を覆うようにして固定する有底円筒状のキャップ部１２ｂとからなり、有底部には前記ファンモータ７の駆動軸が挿通する挿通孔が穿設されている。前記ファンモータ７の反駆動軸側は、前記ベース１上に立設され、上端面が内方に窪む円弧状に形成されるとともに、同円弧状の上端面に摺動溝９ａを形成した基台９と、外周に前記摺動溝９ａに対応した、外方に膨らむ円弧部１０ａを形成し、内周に前記ファンモータ７の軸受に装着された円筒状の防振部材７ａに干渉しないよう、これに対応した円弧状の切欠き１０ｂを形成した摺動部材１０と、前記防振部材７ａが挿通するとともに、これに被着する円筒状の被着部１１ａと、同被着部１１ａの上下端から延出され前記摺動部材１０に接合する接合部１１ｂと、同接合部１１ｂと前記押さえ部１１ａとの間に架設されたリブ１１ｃと同リブ１１ｃに穿設された上下のネジ挿通孔１１ｄとを備えた固定板１１とで構成されている。また、前記ファンモータ７の反駆動軸側外周面には前記ネジ挿通孔１１ｄに対峙してネジ孔７ｂが設けられている。
【００１０】
次に、前記ファンモータ７の前記固定装置への装着及び抜脱手順について説明する。装着する際は、まず前記ファンモータ７の駆動軸側を前記キャップ部１２ｂに挿入して固定する。続いて前記摺動部材１０の前記円弧部１０ａを前記基台９の摺動溝９ａの端部から挿入し、同摺動部材１０の一側面を前記ファンモータ７に押し当てながら前記摺動溝９ａ内を摺動させ、所定の位置まで回動させる。次に、前記固定板１１の前記被着部１１ａを前記ファンモータ７の防振部材７ａに挿通させ被着するとともに、前記接合部１１ｂを前記摺動部材１０の端面に接合させ、続いて同固定板１１に穿設された前記ネジ挿通孔１１ｄにネジ８を挿通させ、前記ファンモータ７のネジ孔７ｂに螺合させる。これにより前記ファンモータ７の前記ベース１への装着が完了する。次に、前記ファンモータ７の駆動軸に送風ファン６を連結させる。
【００１１】
修理時等に、前記ファンモータ７を前記ベース１から抜脱する際は、上記した手順とは逆に、まず前記ネジ孔７ｂに螺合したネジをはずし、図３で示すように、前記固定板１１を取りはずす。次に前記摺動部材１０の円弧部１０ａを前記前記摺動溝９ａ内で摺動させながら、矢印で示す方向に回動させ前記基台９から取り外す。これにより前記ファンモータ７の反駆動軸側が開放され、同ファンモータ７を水平方向に引き抜くことができるようになっている。
【００１２】
上記したように、前記ファンモータ７の駆動軸側を前記キャップ部１２ｂで覆うように固定し、反駆動軸側を前記摺動部材１０及び前記固定具１１とで固定することにより、同ファンモータ７から発生する振動が他の部位へ伝搬しないよう極力抑制できる一方、修理時等には、周囲を覆う熱交換器をはずさなくとも前記ファンモータ７を容易に抜脱できるようになっている。
【００１３】
【発明の効果】
以上説明したように、本発明によると、ファンモータの固定装置が、前記ファンモータの駆動軸側を覆うように固定するキャップ部と同キャップ部をベース上に支持する基部とで構成し、前記ファンモータの反駆動軸側を、前記ベース上に立設された基台と、同基台の摺動溝に摺動自在に支持される摺動部材と、前記ファンモータの後面に螺着される固定板とで構成することにより、前記ファンモータから発生する振動を極力抑制できる一方、修理時等には、前記ファンモータを容易に抜脱できる空気調和機とすることができる。
【図面の簡単な説明】
【図１】本発明による空気調和機を示す断面図である。
【図２】ファンモータの固定装置を示す分解斜視図である。
【図３】ファンモータを抜脱する手順を示す断面図である。
【図４】従来例によるファンモータの固定装置の一例を示す断面図である。
【符号の説明】
１  ベース
２  前面吸込口
３  上面吸込口
４  吹出口
５  熱交換器
５ａ  垂直部
５ｂ  後方傾斜部
５ｃ  前方傾斜部
６  送風ファン
７  ファンモータ
７ａ  防振部材
７ｂ  ネジ孔
８  ネジ
９  基台
９ａ  摺動溝
１０  摺動部材
１０ａ  円弧部
１０ｂ  切欠き
１１  固定板
１１ａ  被着部
１１ｂ  接合部
１１ｃ  リブ
１１ｄ  ネジ挿通孔
１２ａ  基部
１２ｂ  キャップ部
【図１】
0003826842.tif 000002
【図２】
0003826842.tif 000003
【図３】
0003826842.tif 000004
【図４】
0003826842.tif 000005